(57)【特許請求の範囲】
【請求項１】
切断刃を上下動せしめるクランクの主軸の両端部を支承する第一軸受の中心と該軸受が装着される各軸受ケ−シングとを微少量偏心せしめて設け、被加工物のシート材が載せられる加工台の底面に沿って進退せしめられる複数のくさび体を備え、前記加工台の底面の両端部近傍において該底面に対して垂直に案内板をそれぞれ垂下固設し、前記した主軸の両端に設けられた第一軸受のそれぞれの内側に、第二軸受が装着された軸受ケ−シングを備え、該それぞれの軸受ケ−シングに前記した案内板に沿って上下動可能な上面にくさびを構成する勾配を形成した支持杆を突設し、前記主軸が所定位置に調整されたとき、前記のそれぞれのくさび体を作動して前記それぞれの支持杆の上面の勾配に挿入し前記主軸を保持することを特徴とする切断機における軸振れ防止装置。
【請求項２】
第二軸受に突設した支持杆先端に形成する勾配に挿脱可能としたくさび体はエア−シリンダによって作動されることを特徴とする請求項１記載の切断機における軸振れ防止装置。
【発明の詳細な説明】
【０００１】
【発明の属する技術分野】
本発明は、被加工物の切断及び所謂ハーフカットと称される重層されるシート等の被加工物の表面から所定の深さの切り込みを行う切断機の軸振れ防止装置に関する。
【０００２】
【従来技術及び発明の背景】
従来、切断機における被加工物の切断及びハーフカットと称される重層されたシート等の被加工物の表面から所定の深さにまで切り込みを入れるための装置として、本出願人は、特許第3004602 号として特許された切断刃の下死点微動調節装置を発明した。上記の特許発明をその特許掲載公報に記載されるところに基づいて概略を説明すると、図3 〜8 において、101 は切断刄102 を上下動させるクランク103,103 が装着された主軸であり、該主軸101 は、クランク103 ,103が装着された外側の両端においてフレーム104 に遊嵌された軸受ケーシング105 ,105に装着された軸受106 , 106 に支持されている。そして、前記の軸受106 すなわち主軸101 の中心106 a は、軸受ケーシング105 の中心105 a に対して微少量e だけ偏心して装着されている。
【０００３】
上記した切断刃102 は、切断刃固定ボルト102 a によって刃物保持具116 に固定され、該刃物保持具116 は刃物調整体118 に固定され、該刃物調整体118 は上部より調整用ノブ119 によって上下動可能に刃物保持体110 に固定され、該刃物保持体110 は前記したクランク103 , 103 のアーム103 a に取着され断面コ字状をなす案内具120 内を上下摺動し被加工物を切断あるいは所定の切断深さまで切りこむようにしている。
【０００４】
前記した軸受ケーシング105 ,105の外周にはウオームと噛合するウオームホイールとなる歯105 b が刻設され、前記の軸受ケーシング105 ,105はウオームホイールとして機能し、該軸受ケーシング105 , 105 のウオームホイールに噛合するウオーム107 , 107 が両端に刻設されるウオーム軸108 , 109 は、該ウオーム軸108 , 109 の端部に固設の傘歯車を介して調整用軸113 の傘歯車と噛合し、調整用軸113 の回転によって前記の傘歯車を介してウオーム軸108 及びウオーム軸109 を回転させる。
【０００５】
前記した調整用軸113 の端部は機枠104 の外側に突出されてその端部には外周に目盛りを付したハンドル117 が軸止されている。したがって前記のハンドル117 を回転させればウオーム軸108 ,109は回転し、該ウオーム軸108 ,109に刻設のウオーム107 , 107 が回転し、その回転はウオームホイールが形成される軸受ケーシング105 , 105 に伝達され、該軸受ケーシング105 , 105 が回動し、該軸受ケーシング105 , 105 に偏心して装着される軸受106 , 106 をサイン曲線にしたがう略弧状をなしてe だけ移動し、この移動により軸受106 , 106 に支持される主軸101 も軸受106 , 106 と同様に△a 移動をする（図6 参照、この場合は下方の移動を示す）。
【０００６】
この移動について前記のハンドル117 の外周に付した目盛を例えば一周を1 0等分した場合に一目盛りを4 ／1 ,000 とするとハンドル一回転で4 ／100だけ移動するようにしておくことにより所望の軸受106 , 106 の移動量を前記のハンドル117 により操作することができるものである。
【０００７】
上記の装置によると、切断刄を上下動させる主軸の両端部を支承する軸受の中心を該軸受が装着される軸受ケーシングの中心に対して微小量偏心せしめて設け、前記各軸受ケーシングの外周を各別のウオームと噛合するウオームホイールに形成し、前記の各別のウオームを回転させてウオームホイールである軸受ケーシングを回動させると、該ケーシングの回動によって軸受の中心は微小量だけサイン曲線にしたがって弧状に上下方向に移動し、この移動に伴って軸受に支持される主軸を微小量移動させることができるので、該主軸ににより作動される刃物の下死点の微小調節が可能となるものである。
【０００８】
【発明が解決しようとする課題】
上記した特許第3004602 号の装置によりシートのハーフカットを行ったとき必要とする切断深さを得ることができるものであるが、近来、厚さ0. 1mmのシートに対して0.04mm〜0.05mmまでの切込を与えるような切断機が要求されるといったきわめて精度の高い要求があり、この場合、上記の装置であってもその要求に応えることができるが、前記したようなより精密さが要求されるされるような場合主軸を支承する軸受に微少なガタ等があっても軸振れを生じ必要とされる切断深さが得られない恐れがある。そこで、本発明は、切断機の刃物の下死点の微動調整が得られた後、その位置において主軸の振れを生じさせないようにした切断機における軸振れ防止装置の提供を目的とするものである。
【０００９】
【課題を解決するための手段】
本発明に係る切断機における軸振れ防止装置は、前記の目的を達成するために、切断刃を上下動せしめるクランクの主軸の両端部を支承する第一軸受の中心と該軸受が装着される各軸受ケ−シングとを微少量偏心せしめて設け、被加工物のシート材が載せられる加工台の底面に沿って進退せしめられる複数のくさび体を備え、前記加工台の底面の両端部近傍において該底面に対して垂直に案内板をそれぞれ垂下固設し、前記した主軸の両端に設けられた第一軸受のそれぞれの内側に、第二軸受が装着された軸受ケ−シングを備え、該それぞれの軸受ケ−シングに前記した案内板に沿って上下動可能な上面にくさびを構成する勾配を形成した支持杆を突設し、前記主軸が所定位置に調整されたとき、前記のくさび体を作動して前記支持杆の勾配に挿入し支持杆を固定することを備えたことをその特徴とするものである。
【００１０】
【発明の実施の形態】
本発明の実施に形態を図1 及び2 に基づいて説明する。
１は切断刄2 を上下動させるクランク3 , 3 が装着される長尺の主軸であり、該主軸1はクランク3 , 3が装着された外側の両端においてフレーム4 に遊嵌された軸受ケーシング5 , 5 に装着された第一軸受6 , 6 に支持されている。
そして、前記の第一軸受6  すなわち主軸1 の中心は、軸受ケーシング5 の中心に対して微少量偏心して装着される。
【００１１】
本発明の実施の形態においては前記した発明の背景で説明した特許第3004602号の刃物の下死点微動調整装置を用い、それによって被加工物のハ−フカット等を行なうものであり、切断刃2 は、図5 に示される切断刃の下死点微動調整装置と同様に切断刃固定ボルトによって刃物保持具に固定され、該刃物保持具は刃物調整具119 に固定されている。前記した刃物調整体は上部より調整用ノブによって上下動可能に刃物保持体に固定されるように構成され、刃物保持体は前記したクランク3 , 3 のアームに取着され断面コ字状をなす案内具20内を上下摺動し被加工物を切断あるいは所定の切断深さまで切りこむようにされる。なお、図1 において30はシート状の被加工物、31は前記シート状加工物30を切断あるいはハーフカットするときにシート状加工物30が載せられる加工台，32はモータ，33はモータ軸に固定のプーリ，34は主軸1 に固設のプーリであり、前記プーリ3 3 , 34間にベルトをかけ渡し主軸1 を回転せしめる。
【００１２】
加工台31の底面の両端部近傍に該底面に対して垂直に案内板22，22を垂下固設し、該それぞれの案内板22，22に沿って上下方向に案内される支持杆23が前記した第一軸受6,6 のそれぞれの内側に第二軸受を装着した軸受ケ−シング24，24に突設されている。これら、案内板22，22、支持杆23，23等は同一構成であるのでその一つについて詳細に説明するが、案内板22には前記した支持杆23に水平方向に植設されたボルト25が遊挿される上下方向の長孔26が穿孔されており、前記した支持杆23に植設したボルト25の頭部の内側面は案内板22の外側面と微小間隙を有するように前記ボルト26を支持杆23に植設しておく。
【００１３】
したがって、支持杆23は、該支持杆23に植設のボルト25の頭部内側面と案内板22の外側面との摺接により垂直に上下方向に案内されるものである。また 、前記軸受ケ−シング24に突接される支持杆23は前記加工台31の底面に対して少しばかりの間隙を有する長さとされるとともに、上面にはくさび体と摺接する勾配27が形成されている。28は、前記した支持杆23の上面の勾配27に挿脱されてくさびを構成する勾配を備えたくさび体であり、該くさび体28は加工台31の底面に沿ってエア−シリンダ29により進退可能に作動される。
【００１４】
本件発明においても、前記したように特許第3004602 号発明の下死点微動調整装置の主軸の微動調整構成を用いるものであり、切断刃2 を上下動させる主軸1 の両端部を支承する第一軸受6, 6の中心を該軸受が装着される軸受ケ−シング5, 5の中心に対して微少量偏心させて設け、前記した各軸受ケ−シング6, 6の外周を各別のウオ−ム7, 7と噛合するウオ−ムホイ−ルに形成し、前記の各別のウオ−ム7, 7を回転させてウオ−ムホイ−ルである軸受ケ−シング6, 6を回動させ、該ケ−シング6, 6の回動によって軸受5, 5の中心は微少量だけサイン曲線にしたがって弧状に上下方向に移動し、この移動により軸受5 ，5 に支持された主軸1 を微少量移動することができるので、該主軸1 より作動される刃物の下死点を微少量の調節が可能となるものである。
【００１５】
エア−シリンダ29でくさび体28を後退せしめておき、主軸1 を微少量だけ上動あるいは下動したとき、該主軸1 の上動及び下動に従って該主軸1 に装着される第二軸受のケ−シング24，24も上下動し 、更に、該軸受ケ−シング24，24に突設される支持杆23，23も上下方向に移動するがこの移動においては、支持杆23，23に植設されたボルト25を介して該ボルト26の頭部内側面と案内板22の外側面との摺接により直線的に垂直方向にに案内され主軸1 の所定の位置での停止により支持杆23，23も停止することになる。
【００１６】
前記したように主軸1 が所定の位置に停止し必要とされる切断刃の下死点を得たとき、エア−シリンダ29，29を作動してくさび体28，28を支持杆23，23の上面に形成された勾配27,27 と加工台31の下面の間に挿入させる。このとき、支持杆23，23は案内板22，22に支えられた状態とされているので動くことがなく、くさび体28の挿入により支持杆23はくさび体28により確実に保持されることになる。そして、上記の支持杆23，23の保持において該支持杆23，23は案内板22，22によって垂直が確保されているのでくさび体28を作動させたときその受ける力は直角のためまともに受けられるのでその保持は確実となる。
【００１７】
上記したように切断刃の所要の下死点が主軸1 の位置で確定されたときエア−シリンダ28を作動してくさび体27を支持杆23の上面の勾配面に沿って挿入させ、該支持杆23，23を加工台31の底面と主軸1 の間を支えるようにしたので、主軸1が長尺であって主軸1 の回転中に軸振れやあるいは軸が撓もうとしても、前記した主軸の両端に設けられる第一軸受6,6 のそれぞれ内側に装着された軸受の軸受ケ−シングに突設されている支持杆23，23によって主軸は支えられているので軸振れを生ずることがなく、また軸が撓むことがない。
【００１８】
本発明の実施の形態は上記のように構成されるので、シート材料等の被加工物に対する切断あるいはハーフカットにおいて刃物の下死点を微少量調節する切断装置にいて、シート等の被加工物の幅が広くなり、それに伴って切断刃を作動せしめる主軸も長尺となったときにおいても、前記した長尺の主軸は両端で第一軸受に支承され、更に、該両端の第一軸受のそれぞれの内方に加工台の下面と摺動して移動自在とされたくさび体に摺接する支持杆を突設した軸受ケ−シングを設けて前記の支持杆により主軸の振れや撓みを防止するようにしたので正確な切断あるいはハ−フカットが可能となるものである。また、前記した主軸の微少移動に伴う切断刃の下死点変更は、定盤等の関係で切断刃の両端部において、切断深さが異なる場合もあるので、本実施の形態においては、主軸全体を微少調整することは勿論主軸の両端部において各別に移動可能として、切断刃の両端における各別の調整も可能としている。
【００１９】
【発明の効果】
反発明に係る切断機における軸の振れ防止装置は、切断刃を上下動せしめるクランクの主軸は両端を第一軸受にて卒支承し、被加工物のシート材が載せられる加工台の底面に対して垂直に案内板を垂設し、前記した主軸の両端に設けられた第一軸受のそれぞれの内側に、前記した案内板に沿って上下動可能な上面にくさびを構成する勾配を形成した支持杆を突設した軸受ケ−シングを装着し、前記支持杆上面のくさびを構成する勾配面に対して前記加工台の下面に沿って挿脱可能としたくさび体を備え、該くさび体の挿入によって加工台の底面と主軸の間に支持杆を嵌め込み主軸の振れを防止するようにしたものであり、これによって、設定された切断刃の切り込み深さ等が主軸の振れ等によって変化することが防止され、設定された切り込みが常に得られるとする格別の効果を有するものである。
【図面の簡単な説明】
【図１  】本発明の切断機の軸の振れ防止装置を備えた刃物の下死点微動調整装置の説明図
【図２  】軸受ケ−シングに突設された支持杆とくさび体との関係の説明図
【図３  】従来の切断機の下死点微動調整装置の説明図
【図４  】クランク部の説明図
【図５  】切断刃の取付け説明図
【図６  】ケーシングが回動して軸が移動したときの説明図
【図７  】軸受ケーシングとウオームの関係を示す正面図
【図８  】同上断面図
【符号の説明】
1       主軸
2       切断刃
3       クランク
5 , 5   軸受ケーシング
6     軸受
23     支持杆
22     案内板
25     ボルト
26    長孔
27     くさび体
28     エアシリンダ
30     シート材
【図１】
0003753963.tif 000002
【図２】
0003753963.tif 000003
【図３】
0003753963.tif 000004
【図４】
0003753963.tif 000005
【図５】
0003753963.tif 000006
【図６】
0003753963.tif 000007
【図７】
0003753963.tif 000008
【図８】
0003753963.tif 000009